(57)【要約】      （修正有）【課題】ヘルメットを装着せずに顔面を保護するための保護シールドを提供する。【解決手段】保護シールド１０は、透光性を有する保護シート部１２と、保護シート部１２の上端に連結されており、上下方向に対して垂直な特定方向に延びる支持部１６と、保護シート部１２と支持部１６との間に配置されている切欠き１４と、を備える。切欠き１４から保護シート部１２の下端までの上下方向の距離は、１０センチメートル以上である。利用者は、利用者が装着する帽子５０の鍔部５２を切欠き１４に挿入して、保護シールド１０を取り付ける。【選択図】図２
0003228487.tif 000002
【実用新案登録請求の範囲】
【請求項１】
透光性を有する保護シート部と、
前記保護シート部の上端に連結されており、上下方向に対して垂直な特定方向に延びる支持部と、
前記保護シート部と前記支持部との間に配置されている切欠きと、を備え、
前記保護シート部は、以下の（ａ）及び（ｂ）の少なくとも一方の構成を有する、
（ａ）前記切欠きから前記保護シート部の下端までの上下方向の距離が、１０センチメートル以上である、
（ｂ）前記保護シート部の下端が、利用者の口よりも下方に位置する、
保護シールド。
【請求項２】
上下方向における前記保護シート部の長さと支持部の長さとの合計は、前記特定方向における前記保護シート部の長さよりも長い、保護シールド。
【請求項３】
前記切欠きは、前記特定方向の両端のそれぞれにおいて、上方に傾斜する上方傾斜部分と、下方に傾斜する下方傾斜部分と、が交互に繰り返し連続して配置されている、請求項１又は２に記載の保護シールド。
【請求項４】
前記支持部は、前記特定方向の少なくとも一方の端において、外側に突出する突起部を備える、請求項１から３のいずれか一項に記載の保護シールド。
【請求項５】
前記切欠きは、前記特定方向の中央において、上方に湾曲している、請求項１から４のいずれか一項に記載の保護シールド。
【請求項６】
前記切欠きの上下方向の幅は、前記特定方向において一定である、請求項１から５のいずれか一項に記載の保護シールド。
【考案の詳細な説明】
【技術分野】
【０００１】
本明細書によって開示される技術は、顔面を覆う保護シールドに関する。
【背景技術】
【０００２】
特許文献１には、防護シートと、防護シートをヘルメットに固定するヘルメット固定具及び保護シート固定具と、を備える防護面が開示されている。
【先行技術文献】
【特許文献】
【０００３】
【特許文献１】特開第２０１６−３４１３号公報
【考案の概要】
【考案が解決しようとする課題】
【０００４】
上記の技術では、保護シートを装着するために、ヘルメットを装着しなければならなおい。しかしながら、例えば、オフィス等において長期間使用する状況等、ヘルメットを装着するのに適さない状況がある。
【０００５】
本明細書では、ヘルメットを装着せずに顔面を保護するための保護シールドを装着することができる技術を開示する。
【課題を解決するための手段】
【０００６】
本明細書では、保護シールドを開示する。保護シールドは、透光性を有する保護シート部と、前記保護シート部の上端に連結されており、上下方向に対して垂直な特定方向に延びる支持部と、前記保護シート部と前記支持部との間に配置されている切欠きと、を備える。前記保護シート部は、（ａ）前記切欠きから前記保護シート部の下端までの上下方向の距離が、１０センチメートル以上である、（ｂ）前記保護シート部の下端が、利用者の口よりも下方に位置する、の少なくとも一方の構成を備える。
【０００７】
この構成によれば、切欠きに、例えば利用者が装着している帽子の鍔等、利用者に装着される装着品の部分を挿入することによって、帽子に保護シールドを取り付けることができる。これにより、利用者は、ヘルメットを装着することなく、顔面を保護する保護シールドを装着することができる。
【図面の簡単な説明】
【０００８】
【図１】保護シールドの正面図を示す。
【図２】保護シールドの装着方法を説明するための斜視図を示す。
【図３】図２に続く保護シールドの装着方法を説明するための斜視図を示す。
【図４】保護シールドが装着されている状態を表す側面図を示す。
【考案を実施するための形態】
【０００９】
以下に説明する実施形態の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）上下方向における前記保護シート部の長さと支持部の長さとの合計は、前記特定方向における前記保護シート部の長さよりも長くてもよい。
【００１１】
（特徴２）前記切欠きは、前記特定方向の両端のそれぞれにおいて、上方に傾斜する上方傾斜部分と、下方に傾斜する下方傾斜部分と、が交互に繰り返し連続して配置されていてもよい。
【００１２】
この構成によれば、切欠きが、両端部分において、帽子の鍔等の切欠きに挿入される装着品に引っかかることによって、保護シールドが装着品から脱落することを抑制することができる。
【００１３】
（特徴３）前記支持部は、前記特定方向の少なくとも一方の端において、外側に突出する突起部を備えていてもよい。
【００１４】
この構成によれば、突起部と切欠きに挿入される装着品の部分とを、クリップ等で挟持することによって、保護シールドが装着品から脱落することを抑制することができる。
【００１５】
（特徴４）前記切欠きは、前記特定方向の中央において、上方に湾曲していてもよい。
【００１６】
この構成によれば、切欠きを、切欠きに挿入される装着品の形状に沿った形状に形成し得る。これにより、保護シールドが装着品に対してずれることを抑制し得る。
【００１７】
（特徴５）前記切欠きの上下方向の幅は、前記特定方向において一定であってもよい。
【００１８】
この構成によれば、保護シールドに、特定方向における切欠きの全長に亘って、切欠きに挿入される装着品の部分を挟持させることができる。
【００１９】
（実施例）
図４に示されるように、本実施例の保護シールド１０は、利用者が装着する帽子５０の鍔部５２に取り付けて使用される。保護シールド１０は、ＰＥＴ（ポリエチレンテレフタレートの略）製のフィルムで作製されている。保護シールド１０は、全体的に、透光性を有する。なお、変形例では、保護シールド１０の材料は、ＰＥＴに限らず、透光性を有する樹脂材料であってもよい。
【００２０】
図１に示すように、保護シールド１０は、帽子５０に装着されていない状態、即ち、作製された状態で、平板形状を有する。保護シールド１０は、保護シート部１２と、支持部１６と、切欠き１４と、一対の突起部１８と、を備える。保護シート部１２と、支持部１６と、切欠き１４と、一対の突起部１８と、は、１枚のＰＥＴ製のシートから作製されており、一体的に形成されている。
【００２１】
保護シート部１２は、利用者の顔面を覆う。保護シート部１２は、略四角形の平板形状を有する。保護シート部１２は、利用者の顔面のうち、鍔部５２よりも下方に位置する部分を覆うために必要な寸法を有する。保護シート部１２の上下方向Ｄ１の長さは、すなわち、保護シート部１２の最上端から最下端までの長さは、少なくとも１０センチメートル以上である。なお、保護シート部１２の形状および寸法は、利用者に応じて、作製されてもよい。例えば、利用者が幼児である場合、利用者が大人である場合と比較して、保護シート部１２を小さく作製してもよい。保護シート部１２は、利用者の口元に対向する位置よりも下方に位置する寸法を有していてもよい。保護シート部１２は、全面的に透明に作成されている。保護シート部１２の下端は、利用者が装着している状態で、利用者の口、詳細には、利用者の口の下端よりも下方に位置するように作製されている。なお、例えば、利用者の視界から外れる部分及び利用者の視界の端部に位置する部分等、保護シート部１２の一部は、透光性を有していなくてもよい。また、保護シート部１２の少なくとも一部は、着色されていてもよい。
【００２２】
保護シート部１２の上端には、支持部１６が連結されている。支持部１６は、上下方向Ｄ１に垂直な方向Ｄ２（以下、単に「方向Ｄ２」と呼ぶ）の両端において、保護シート部１２に連結されている。支持部１６は、保護シート部１２に連結されている両端部分の間で、途切れなく連続的に配置されている。支持部１６は、方向Ｄ２において、保護シート部１２よりも短い。支持部１６は、帽子５０の鍔部５２の方向Ｄ２の長さに合わせて作製される。支持部１６は、保護シート部１２と同様に透明である。しかしながら、支持部１６は、透明でなくてもよいし、透光性を有していなくてもよい。
【００２３】
支持部１６の方向Ｄ２の両端には、方向Ｄ２において支持部１６の外側に突出する突起部１８が配置されている。突起部１８は、鍔部５２の方向Ｄ２の端縁付近まで延びる。突起部１８は、支持部１６から離間するのに従って、細く形成されている。突起部１８は、支持部１６から離間するのに従って、上方に傾斜している。
【００２４】
保護シート部１２と支持部１６との間には、切欠き１４が配置されている。切欠き１４は、保護シールド１０を貫通している。切欠き１４は、保護シート部１２と支持部１６とが連結されている部分の間に配置されている。切欠き１４は、方向Ｄ２の全長に亘って、上下方向に隙間なく配置されている。
【００２５】
切欠き１４の中央部１４ｂは、上方に湾曲している。中央部１４ｂの方向Ｄ２の両端のそれぞれには、端部１４ａが配置されている。端部１４ａは、方向Ｄ２に沿って延びている。端部１４ａでは、方向Ｄ２に沿って上方に傾斜する部分１５ａと下方に傾斜する部分１５ｂとが、連続して交互に配置されている。部分１５ａと部分１５ｂとは、繰り返し配置される。これにより、部分１５ａと部分１５ｂとの境界には、角部が形成される。切欠き１４の両端には、円形の開口１４ｃが配置されている。これにより、保護シールド１０が切欠き１４の両端から破損することを抑制することができる。
【００２６】
（保護シールド１０の装着方法）
次いで、図２〜図４を参照して、利用者が保護シールド１０を装着する方法を説明する。利用者は、利用者が装着する帽子５０に保護シールド１０を取り付けることによって、保護シールド１０を装着する。図２に示すように、保護シールド１０の切欠き１４に、帽子５０の鍔部５２を挿入する。保護シールド１０が使用されていない出荷状態では、切欠き１４は、上下方向に隙間を有していない。切欠き１４に鍔部５２を挿入しようとすると、支持部１６が保護シート部１２に対して回動する。これにより、切欠き１４に隙間が形成されて、切欠き１４に鍔部５２を挿入することができる。支持部１６は、鍔部５２に重なる位置まで回動され得る。切欠き１４は、中央部１４ｂが上方に湾曲している。鍔部５２は、上方に湾曲している。この構成によれば、切欠き１４が直線状である構成と比較して、鍔部５２を切欠き１４に挿入する際に、保護シールド１０の変形を抑制することができる。これにより、鍔部５２をスムーズに切欠き１４に挿入することができる。また、中央部１４ｂの湾曲によって、保護シールド１０が鍔部５２に対して、方向Ｄ２にずれることを抑制することができる。
【００２７】
次いで、図３に示すように、保護シールド１０を、支持部１６の保護シート部１２と反対側の端縁が帽子５０に当接するまで、鍔部５２に沿って移動する。支持部１６を、利用者に装着するための装着品（すなわち帽子５０）に当接させることによって、保護シート部１２を位置決めすることができる。言い換えると、支持部１６の上下方向の長さは、保護シート部１２の位置決めに必要な長さを有する。
【００２８】
次いで、一対の突起部１８のそれぞれと鍔部５２とを、クリップ６０によって挟持する。これにより、保護シールド１０は、鍔部５２に対してずれることを抑制することができる。次いで、図４に示すように、両方のクリップ６０の把持部に紐等を通すことによって、両方のクリップ６０を連結することができる。これにより、クリップ６０が脱落することを防止することができる。保護シールド１０を帽子５０の鍔部５２に装着することによって、保護シート部１２が鍔部５２の下方に位置し、帽子５０を装着している利用者の顔面を、隙間を有して覆うことができる。これにより、利用者は、ヘルメットを装着することなく、帽子５０を装着することによって、保護シールド１０を装着することができる。なお、利用者は、帽子５０に換えて、サンバーザーのように、鍔部を有する一方、利用者の頭部を覆わない装着品を装着することによっても、保護シールド１０を装着することができる。
【００２９】
保護シールド１０では、保護シート部１２と支持部１６との上下方向の長さＬ１は、保護シート部１２の方向Ｄ２の長さＬ２よりも長い。これにより、保護シート部１２は、利用者の顔面の下端よりも下方まで達することができる。この結果、保護シールド１０によって、利用者の顔面に、ウィルス等が付着すること、及び、利用者からウィルス等が飛沫することを抑制することができる。
【００３０】
利用者の顔面を覆う保護シート部１２は、方向Ｄ２において、支持部１６よりも長い。支持部１６は、取り付けるべき装着品の鍔部の形状に合わせて形成される。保護シート部１２の方向Ｄ２の長さを長くすることによって、鍔部５２の方向Ｄ２の両端を越えて、保護シート部１２を配置することができる。これにより、保護シート部１２によって、広範囲に、利用者の顔面を保護することができる。
【００３１】
切欠き１４の端部１４ａは、部分１５ａ、１５ｂによって、角部が形成されている。この結果、端部１４ａを切欠き１４に挿入された鍔部５２に係合させることができる。これにより、保護シールド１０が帽子５０から脱落することを抑制することができる。
【００３２】
切欠き１４は、上下方向に隙間を有していないため、全長に亘って鍔部５２を挟持することができる。
【００３３】
以上、本明細書で開示する技術の実施例を詳細に説明したが、上記の実施例は例示に過ぎず、特許請求の範囲を限定するものではない。特許請求の範囲に記載の技術には、以上に例示した具体例を様々に変形、変更したものが含まれる。例えば、以下の変形例を採用してもよい。
【００３４】
（変形例１）切欠き１４の上下方向には、隙間が配置されていてもよい。この場合、隙間の長さは、保護シールド１０が装着されるべき帽子５０の鍔部５２の上下方向の長さよりも短くてもよい。
【００３５】
（変形例２）切欠き１４の上下方向の幅は、全長に亘って一定でなくてもよい。この場合、切欠き１４の端部１４ａの上下方向の幅は、中央部１４ｂの上下方向の幅よりも小さくてもよい。例えば、切欠き１４の端部１４ａの上下方向の幅は鍔部５２の上下方向の長さよりも小さくてもよく、中央部１４ｂの上下方向の幅は鍔部５２の上下方向の長さよりも大きくてもよい。
【００３６】
（変形例３）切欠き１４は、方向Ｄ２において、全長に亘って直線状に形成されていてもよい。
【００３７】
（変形例４）支持部１６は、方向Ｄ２において、連続的に配置されていなくてもよい。例えば、支持部１６は、方向Ｄ２の両端に配置されており、中央部に配置されていなくてもよい。
【００３８】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成するものであり、そのうちの一つの目的を達成すること自体で技術的有用性を持つものである。
【符号の説明】
【００３９】
１０：保護シールド
１２：保護シート部
１４：切欠き
１６：支持部
１８：突起部
【図１】
0003228487.tif 000003
【図２】
0003228487.tif 000004
【図３】
0003228487.tif 000005
【図４】
0003228487.tif 000006
【手続補正書】
【提出日】令和2年7月21日(2020.7.21)
【手続補正１】
【補正対象書類名】実用新案登録請求の範囲
【補正対象項目名】全文
【補正方法】変更
【補正の内容】
【実用新案登録請求の範囲】
【請求項１】
透光性を有する保護シート部と、
前記保護シート部の上端に連結されており、上下方向に対して垂直な特定方向に延びる支持部と、
前記保護シート部と前記支持部との間に配置されている切欠きと、を備え、
前記保護シート部は、以下の（ａ）及び（ｂ）の少なくとも一方の構成を有する、
（ａ）前記切欠きから前記保護シート部の下端までの上下方向の距離が、１０センチメートル以上である、
（ｂ）前記保護シート部の下端が、利用者の口よりも下方に位置する、
保護シールド。
【請求項２】
上下方向における前記保護シート部の長さと前記支持部の長さとの合計は、前記特定方向における前記保護シート部の長さよりも長い、請求項１に記載の保護シールド。
【請求項３】
前記切欠きは、前記特定方向の両端のそれぞれにおいて、上方に傾斜する上方傾斜部分と、下方に傾斜する下方傾斜部分と、が交互に繰り返し連続して配置されている、請求項１又は２に記載の保護シールド。
【請求項４】
前記支持部は、前記特定方向の少なくとも一方の端において、外側に突出する突起部を備える、請求項１から３のいずれか一項に記載の保護シールド。
【請求項５】
前記切欠きは、前記特定方向の中央において、上方に湾曲している、請求項１から４のいずれか一項に記載の保護シールド。
【請求項６】
前記切欠きの上下方向の幅は、前記特定方向において一定である、請求項１から５のいずれか一項に記載の保護シールド。